(57)【要約】【課題】所定の排出位置からのカードの飛び出しを防止できるカード用コネクタ装置。【解決手段】ハウジング２内の所定の装着位置に装着されているカード１の第１凹部１ｃに係合する係合部４ａを有する付勢部材４をスライド部材３に備えると共に、所定の排出位置を超えてカード１がハウジング２の挿入口２ａから突出する方向に動いたときに、カード１の動きを規制する規制手段を備え、この規制手段は例えば、ハウジング２の壁面に形成された凸部２ｃと、カード１の側縁に形成され、凸部２ｃと係合する第２凹部１ｄとの組み合わせから成る構成にしてある。【選択図】図５
2005183036.tif 000002
【特許請求の範囲】
【請求項１】
ハウジング内の所定の排出位置にカードを保持可能であると共に、
上記所定の排出位置を超えて上記カードが上記ハウジングの挿入口から突出する方向に動いたときに、そのカードの動きを規制する規制手段を備えたことを特徴とするカード用コネクタ装置。
【請求項２】
上記請求項１記載の発明において、
上記規制手段が、上記ハウジング側及び上記カード側のいずれか一方に形成される凸部と、他方に形成され上記凸部に係合する凹部の組み合わせから成ることを特徴とするカード用コネクタ装置。
【請求項３】
上記請求項２記載の発明において、
上記凸部を上記ハウジング側に形成し、上記凹部を上記カード側に形成したことを特徴とするカード用コネクタ装置。
【請求項４】
上記請求項３記載の発明において、
上記凸部を上記ハウジングの壁面に形成すると共に、上記凹部を上記カードの側縁に形成したことを特徴とするカード用コネクタ装置。
【請求項５】
上記請求項４記載の発明において、
上記ハウジングに、上記凸部に連設され上記カードの挿抜方向に沿って延設される溝部を形成すると共に、
上記カードの上記凹部のカード前端部側の縁部とカード前端部との間に位置する側縁奥側部の長さ寸法に比べて、上記溝部の長さ寸法を長く設定したことを特徴とするカード用コネクタ装置。
【請求項６】
上記請求項３記載の発明において、
上記凸部が、上記ハウジングの上面を形成するカバー部材から切り出されて成ることを特徴とするカード用コネクタ装置。
【請求項７】
上記請求項２記載の発明において、
上記凸部と凹部とが係合する方向へ上記カードを付勢する付勢部材を備えたことを特徴とするカード用コネクタ装置。
【請求項８】
上記請求項７記載の発明において、
上記付勢部材が、上記ハウジング内に設定される所定の装着位置に、上記カードを保持させる部材を兼ねることを特徴とするカード用コネクタ装置。
【請求項９】
上記請求項８記載の発明において、
上記付勢部材が、上記ハウジングの上面を形成するカバー部材から切り出されて成ることを特徴とするカード用コネクタ装置。
【発明の詳細な説明】
【技術分野】
【０００１】
本発明は、ハウジング内の所定の排出位置にカードを保持可能なカード用コネクタ装置に関する。
【背景技術】
【０００２】
この種の従来技術として、特許文献１に、カードの側縁に形成された凹部に係合する係合部を有する１枚の板ばねから成る付勢部材を、カードが挿入されるハウジングの側方部分に備えた構成が示されている。この特許文献１に記載の技術では、ハウジング内に挿入されたカードは、付勢部材の付勢力によってその係合部がカードの凹部に係合する。これによってカードが、ハウジングに与えられる振動や外乱等によってハウジングの挿入口から外部に脱落しないように保持される。
【０００３】
また、別の従来技術として、特許文献２に、ハウジングの底部に配置された１枚の板ばねから成る付勢部材の係合部を、ハウジングに挿入されたカードの凹部に係合させる構成が示されている。この特許文献２に記載の技術でも、ハウジング内に挿入されたカードの凹部に、付勢部材の係合部が係合したときから、そのカードがハウジングに与えられる振動や外乱によってハウジングの挿入口から脱落しないように保持される。
【特許文献１】特開２００２−３５２９１１公報
【特許文献２】特開２００２−１９０３５５公報
【発明の開示】
【発明が解決しようとする課題】
【０００４】
上述した従来技術のそれぞれは、１枚の板ばねから成る付勢部材の付勢力によってカードを挿入口から脱落しないように保持するものであるが、板ばねによる付勢力が弱い場合には、カードが所定の排出位置を超えて挿入口から外部へ飛び出し、コネクタ装置としての信頼性が低下してしまう問題がある。
【０００５】
本発明は、上述した従来技術における実状からなされたもので、その目的は、所定の排出位置からのカードの飛び出しを防止できるカード用コネクタ装置を提供することにある。
【課題を解決するための手段】
【０００６】
上記目的を達成するために、本発明は、ハウジング内の所定の排出位置にカードを保持可能であると共に、上記所定の排出位置を超えて上記カードが上記ハウジングの挿入口から突出する方向に動いたときに、そのカードの動きを規制する規制手段を備えたことを特徴としている。このように構成した本発明は、所定の排出位置まで戻されたカードが、さらに所定の排出位置を超えてハウジングの挿入口から突出する方向に動かされたときには、規制手段によってそのカードの動きが規制される。これにより、挿入口からのカードの飛び出しを防止することができる。
【０００７】
また、本発明は上記発明において、上記規制手段が、上記ハウジング側及び上記カード側のいずれか一方に形成される凸部と、他方に形成され上記凸部に係合する凹部の組み合わせから成ることを特徴としている。このように構成した本発明は、規制手段を凸部と凹部の簡単な構造の組み合わせとしたので、これらの凸部と凹部の製作が容易である。
【０００８】
また、本発明は上記発明において、上記凸部を上記ハウジング側に形成し、上記凹部を上記カード側に形成したことを特徴としている。このように構成した本発明は、ハウジングの製作時に同時に凸部を形成でき、また、カードの製作時に同時に凹部を形成できる。
【０００９】
また、本発明は上記発明において、上記凸部を上記ハウジングの壁面に形成すると共に、上記凹部を上記カードの側縁に形成したことを特徴としている。このように構成した本発明は、ハウジングの製作時に同時にハウジングの壁面に凸部を形成でき、また、カードの製作時に同時にカードの側縁に凹部を形成できる。
【００１０】
また、本発明は上記発明において、上記ハウジングに、上記凸部に連設され上記カードの挿抜方向に沿って延設される溝部を形成すると共に、上記カードの上記凹部のカード前端部側の縁部とカード前端部との間に位置する側縁奥側部の長さ寸法に比べて、上記溝部の長さ寸法を長く設定したことを特徴としている。このように構成した本発明は、所定の排出位置に戻されたカードが、さらにハウジングの挿入口から突出する方向に動かされたときに、カードの側縁奥側部をハウジングの溝部に収容させることができる。これによって、ハウジングの凸部とカードの凹部とを強固に係合させることができ、カードの動きを確実に阻止することができる。
【００１１】
また、本発明は上記発明において、上記凸部が、上記ハウジングの上面を形成するカバー部材から切り出されて成ることを特徴としている。このように構成した本発明は、ハウジングのカバー部材の製作時に、そのカバー部材から凸部を容易に切り出して形成することができ、部品数の増加を抑えることができる。
【００１２】
また、本発明は上記発明において、上記凸部と凹部とが係合する方向へ上記カードを付勢する付勢部材を備えたことを特徴としている。このように構成した本発明は、付勢部材の付勢力によって凸部と凹部を強固に係合させることができ、カードの動きを確実に阻止することができる。
【００１３】
また、本発明は上記発明において、上記付勢部材が、上記ハウジング内に設定される所定の装着位置に、上記カードを保持させる部材を兼ねることを特徴としている。このように構成した本発明は、部品を共用できるので、部品数を抑えることができる。
【００１４】
また、本発明は上記発明において、上記付勢部材が、上記ハウジングの上面を形成するカバー部材から切り出されて成ることを特徴としている。このように構成した本発明は、ハウジングのカバー部材の製作時に、そのカバー部材から付勢部材を容易に切り出して形成することができ、部品数の増加を抑えることができる。
【発明の効果】
【００１５】
本発明は、所定の排出位置からのカードの飛び出しを防止でき、コネクタ装置としての信頼性を向上させることができる。
【発明を実施するための最良の形態】
【００１６】
以下，本発明に係るカード用コネクタ装置を実施するための最良の形態を図に基づいて説明する。
【００１７】
図１は本発明に係るカード用コネクタ装置の一実施形態においてカードが所定の装着位置に装着された状態を示す平面図、図２は図１のＡ部拡大図である。
【００１８】
［本実施形態で使用されるカード］
図１に示すように、本実施形態で使用されるカード１は、装置奥側に位置する前端部１ａの隅角部に切欠き部１ｂを有し、図示右側縁部に第１凹部１ｃを有し、左側縁部に第２凹部１ｄを有している。また、図示しないが裏面には、信号の送受信に活用される接触部材が備えられている。
【００１９】
［本実施形態の構成］
図１は上面を形成するカバー部材を除いた状態を示しているが、カード１が挿入されるハウジング２は、手前側に挿入口２ａを備えている。図示左側に位置する壁面には、カード１の第２凹部１ｄに係合可能な凸部２ｃと、この凸部２ｃに連設されカード１の挿抜方向に沿って延設される溝部２ｂを形成させてある。なお、図示省略するが、ハウジング２の奥側位置には、カード１の接触部材と接触するコンタクト端子が備えられている。
【００２０】
このハウジング２の凸部２ｃと、カード１の第２凹部１ｄとによって、所定の排出位置を超えてカード１がハウジング２の挿入口２ａから突出する方向に動いたときに、そのカード１の動きを規制する規制手段が構成されている。
【００２１】
ハウジング２の図示右側位置には、カード１の切欠き部１ｂに係合する係合端３ａを有し、カード１と共にハウジング２内を摺動可能なスライド部材３を配置してある。このスライド部材３は、図示省略した付勢部材によって常時カード排出方向に付勢されている。このスライド部材３及び図示省略した付勢部材は、同図１に示す所定のカード装着位置に保持されているカード１を所定の排出位置まで排出させる排出機構を構成している。
【００２２】
また、ハウジング２の図示右側位置には、摺動部材５を配置してある。この摺動部材５は、一端５ａをハウジング２に揺動自在に支持させてあると共に、他端５ｂに同図１の下方向に向って延設されるピンを備えている。スライド部材３の表面には、摺動部材５の他端５ｂに設けたピンが相対的に摺動するハート型カム溝６を形成してある。このハート型カム溝６は、往路６ａと、復路６ｂと、これらの往路６ａと復路６ｂとの境界に形成され、摺動部材５の他端５ｂのピンを係止させるロック部６ｃとを備えている。これらの摺動部材５とハート型カム溝６とは、同図１に示す所定の排出位置にスライド部材３を保持するロック機構を構成している。
【００２３】
また、スライド部材３には、カード１を所定の装着位置に保持する板ばねから成る付勢部材４を配置してある。この付勢部材４の係合部４ａがカード１の第１凹部１ｃに係合することにより、カード１は所定の装着位置において動かないように保持される。なお、この付勢部材４は、上述したハウジング２の凸部２ｃとカード１の第２凹部１ｄとが係合する方向にカード１を付勢する部材も兼ねている。
【００２４】
図１に示すように、カード１の第２凹部１ｄの縁部であるカード１の前端部１ａ側の縁部と、カード１の前端部１ａとの間に位置する側縁奥側部１ｅの長さ寸法Ｌ１に比べて、ハウジング２の壁面に形成した上述の溝部２ｂの長さ寸法を長く設定してある。
【００２５】
カード１が同図１に示すように、所定の装着位置に保持されている状態にあっては、カード１の裏面の図示省略した接触部材がハウジング２に備えられたコンタクト端子に接触し、カード１に対する信号の送受信が可能になる。
【００２６】
図３は本実施形態においてカードが所定の排出位置まで排出された状態を示す平面図、図４は図１のＡ部に対応する図３部分の拡大図である。
【００２７】
［本実施形態におけるカード排出動作］
図１に示すように所定の装着位置に保持されているカード１の排出時には、図１に示す状態からカード１が僅かに装置奥側に押される。これにより、スライド部材３がオーバストロークし、ハート型カム溝６のロック部６ｃにおける摺動部材５の他端５ｂのピンの係止が解除され、図示省略した付勢部材の付勢力によってスライド部材５はカード排出方向へ、すなわち挿入口２ａ方向へ摺動する。これによりカード１は、その第１凹部１ｃに付勢部材４の係合部４ａが係合した状態でスライド部材３と共に移動し、図３に示す所定の排出位置に至る。この間、カード１の図示左側縁部はハウジング２の凸部２ｃを含む壁面によってガイドされる。また、摺動部材５の他端５ｂのピンは、ハート型カム溝６のロック部６ｃから離脱した後、相対的に復路６ｂ上を摺動し、初期位置に至る。
【００２８】
図３に示すように、所定の排出位置まで戻されたカード１は、容易に抜き取ることができる。このカード１の抜き取りは、付勢部材４の付勢力に抗して行なわれる。すなわち、付勢部材４の付勢力が、スライド部材３を介してカード１に伝えられる排出力よりも大きい場合には、カード１は所定の排出位置において安定に保持され、ハウジング２の挿入口２ａから飛び出すことはない。
【００２９】
図５は本実施形態において所定の排出位置を超えてカードが挿入口から突出する方向に動いたときの状態を示す平面図、図６は図１のＡ部に対応する図５部分の拡大図である。
【００３０】
［挿入口からの飛び出し時］
上述した付勢部材４の付勢力が、スライド部材３を介してカード１に備えられる排出力よりも小さい場合には、カード１が所定の排出位置に保持されず、この所定の排出位置を超えて挿入口２ａから突出する方向にさらに動く現象を生じる。この場合、本実施形態では、カード１の第１凹部１ｃと付勢部材４の係合部４ａとの係合が解かれて、係合部４ａがカード１の同図５の右側縁部に当接するに至った状態で、この付勢部材４の付勢力を受けて同図５に示すように、カード１の側縁奥側部１ｅがハウジング２の溝部２ｂに収容される。同時に、ハウジング２の凸部２ｃとカード１の第２凹部１ｄとが係合する。これにより、カード１の動きが阻止される。
【００３１】
このような状態からカード１を把持して手前に引くことにより、ハウジング２の凸部２ｃとカード１の第２凹部１ｄとの係合が解かれ、これに伴って付勢部材４が撓み、容易にカード１を抜き取ることができる。
【００３２】
［本実施形態の効果］
本実施形態によれば、上述のように、所定の排出位置まで戻されたカード１が、さらに所定の排出位置を超えてハウジング２の挿入口２ａから突出する方向に動かされたときには、規制手段、すなわちハウジング２の凸部２ｃとカード１の第２凹部１ｄとの係合によってそのカード１の動きが規制される。これにより、挿入口２ａからのカード１の飛び出しを防止でき、コネクタ装置としての信頼性を向上させることができる。
【００３３】
また、所定の排出位置からのカード１の動きを規制する規制手段を、凸部２ｃと第２凹部１ｄとの簡単な構造の組み合わせとしたので、これらの凸部２ｃ、第２凹部１ｄの製作が容易であり、製作費を安くすることができる。
【００３４】
また、凸部２ｃをハウジング２の壁面に設け、第２凹部１ｄをカード１の側縁に設けたことから、凸部２ｃをハウジング２の製作時に同時に形成でき、また、第２凹部１ｄをカード１の製作時に同時に形成でき、製作工数の増加を招くことがない。
【００３５】
また、上述のように、所定の排出位置に戻されたカード１が、さらにハウジング２の挿入口２ａから突出する方向に動かされたときにカード１の側縁奥側部１ｅをハウジング２の溝部２ｂに収容させることができる。これによってハウジング２の凸部２ｃとカード１の第２凹部１ｄとを強固に係合させることができ、カード１の動きを確実に阻止でき、優れた飛び出し防止機能を確保できる。
【００３６】
また、上述のように、所定の排出位置に戻されたカード１が、挿入口２ａから突出する方向に動かされたときに、付勢部材４の付勢力によってハウジング２の凸部２ｃとカード１の第２凹部１ｄとを強固に係合させることができる。これによってもカード１の動きが確実に阻止される。
【００３７】
また、付勢部材４が、上述の凸部２ｃと第２凹部１ｄとを係合させる付勢力をカード１に与える部材と、カード１を所定の装着位置に保持させる部材とを兼ねていることから、部品数を抑えることができ、製作費を安くすることができる。
【００３８】
［本発明の他の構成］
上記実施形態は、ハウジング２の壁面に凸部２ｃを形成してあるが、本発明は、このように構成することに限られず、凸部２ｃに代えてカード１の第２凹部１ｄに係合する係合部を有する例えば板ばねから成る付勢部材を備えた構成にしてもよい。
【００３９】
また、上記実施形態は、カード１の側縁に第２凹部１ｄを形成し、ハウジング２に凸部２ｃを形成してあるが、これとは逆にハウジング２に凹部を形成し、カード１にこの凹部に係合する凸部を形成した構成にしてもよい。
【００４０】
また、本発明は、規制手段を構成する凸部と凹部の組み合わせをハウジングの上下方向に設ける構成にしてもよい。例えば、ハウジング２の上面を形成する図示省略した金属製のカバー部材に凸部を切り出し形成し、カード１の表面に凸部に係合する凹部を形成した構成にしてもよい。このように構成したものでは、カバー部材から凸部を容易に切り出して形成することができるので、部品数の増加を抑えることができ、制作費を安くすることができる。
【００４１】
また、本実施形態では、カード１を所定の装着位置に保持する付勢部材４をスライド部材３に設けてあるが、この付勢部材４をハウジング２に設ける構成にしてもよい。また、付勢部材４をハウジング２の上面を形成する図示省略した金属製のカバー部材に設け、カード１の表面に付勢部材４の係合部４ａに係合する凹部を設ける構成にしてもよい。このように、カバー部材に付勢部材４を設けた構成にした場合には、カバー部材から付勢部材４を容易に切り出して形成することができるので、部品数の増加を抑えることができ、製作費を安くすることができる。
【図面の簡単な説明】
【００４２】
【図１】本発明に係るカード用コネクタ装置の一実施形態においてカードが所定の装着位置に装着された状態を示す平面図である。
【図２】図１のＡ部拡大図である。
【図３】本実施形態においてカードが所定の排出位置まで排出された状態を示す平面図である。
【図４】図１のＡ部に対応する図３部分の拡大図である。
【図５】本実施形態において所定の排出位置を超えてカードが挿入口から突出する方向に動いたときの状態を示す平面図である。
【図６】図１のＡ部に対応する図５部分の拡大図である。
【符号の説明】
【００４３】
１    カード
１ａ  前端部
１ｂ  切欠き部
１ｃ  第１凹部
１ｄ  第２凹部（規制手段）
１ｅ  側縁奥側部
２    ハウジング
２ａ  挿入口
２ｂ  溝部
２ｃ  凸部（規制手段）
３    スライド部材
３ａ  係合端
４    付勢部材
４ａ  係合部
５    摺動部材
５ａ  一端
５ｂ  他端
６    ハート型カム溝
６ａ  往路
６ｂ  復路
６ｃ  ロック部
Ｌ１  長さ寸法
Ｌ２  長さ寸法
【図１】
2005183036.tif 000003
【図２】
2005183036.tif 000004
【図３】
2005183036.tif 000005
【図４】
2005183036.tif 000006
【図５】
2005183036.tif 000007
【図６】
2005183036.tif 000008